(57)【要約】【課題】額縁用フレームを利用して作製されてなり、外周面にデザイン又は装飾の施された台座用フレーム及び陳列用台座を提供する。【解決手段】  正面装飾部１６ａを有する額縁正面１６と、額縁外周形成面１１と、掛かりを形成するための掛かり片１４と、掛かり片の下方側に形成された額縁内側側面１３と、を備えた額縁用フレーム１０を使用してなり、前記額縁用フレームの両端を前記額縁用フレームの額縁正面側から｛１８０×（ｎ−２）／ｎ｝／２（ｎは、３以上の自然数）となるように両端が切断されたｎ個の額縁用フレームを、額縁内側側面が上面に、かつ掛かり片が上方側に向くような状態で接合して形成されていることを特徴とする。【選択図】図１
2019111285.tif 000002
【特許請求の範囲】
【請求項１】
正面装飾部を有する額縁正面と、額縁外周形成面と、掛かりを形成するための掛かり片と、前記掛かり片の下方側に形成された額縁内側側面と、を備えた額縁用フレームを使用してなり、前記額縁用フレームの両端を前記額縁用フレームの額縁正面側から｛１８０×（ｎ−２）／ｎ｝／２（ｎは、３以上の自然数）となるように両端が切断されたｎ個の額縁用フレームを、額縁内側側面が上面に、かつ掛かり片が上方側に向くような状態で接合して形成されていることを特徴とする台座用フレーム。
【請求項２】
前記額縁外周形成面に、突出部を備えていることを特徴とする請求項１に記載の台座用フレーム。
【請求項３】
前記正面装飾部と前記額縁外周形成面が連設して形成されていることを特徴とする請求項１に記載の台座用フレーム。
【請求項４】
請求項１から３のいずれか１項に記載の台座用フレームにおいて、
さらに、底面に底面板が設けられていることを特徴とする台座用フレーム。
【請求項５】
請求項１から４のいずれか１項に記載の台座用フレームと、
前記額縁内側側面に載置される板状の台座用ベースと、
を有することを特徴とする陳列用台座。
【請求項６】
前記台座用ベースは、厚さが掛かり片の長さよりも薄いものであることを特徴とする請求項５に記載の陳列用台座。
【発明の詳細な説明】
【技術分野】
【０００１】
本発明は、額縁用フレームを利用した台座用フレーム及び陳列用台座に関する。
【背景技術】
【０００２】
従来から様々な形態の陳列用台座が開発されている。例えば、略方形状の天板部材で構成される第１の商品載置部と、第１の商品載置部と同一形状の天板部材で構成される第２の商品載置部と、第１の商品載置部と第２の商品戴置部とを接続する支持脚とを有する商品陳列台において、天板部材の一方の面側には、支持脚の一方側と天板部材の四隅とを係合可能な第１の溝部と、四隅から所定距離だけ離間した領域に位置して、支持脚の一方側と係合可能な第２の溝部とが形成されると共に、天板部材の他方の面側には、支持脚の他方側と天板部材の四隅とを係合可能な第３の溝部が形成されているものがある（特許文献１）。
【先行技術文献】
【特許文献】
【０００３】
【特許文献１】特開２０１７−１８９３３９号公報
【発明の概要】
【発明が解決しようとする課題】
【０００４】
このような様々な陳列用台座は、いずれも専用の部品を組み立てて作製されたり、又は専用の型によって一体で作製されたりするものである。そのため、一般的に作製される陳列用台座は、量産化により、単一のデザイン又は数種のデザインに限定される。
【０００５】
しかしながら、立体的な作品を展示会や品評会等に出展する場合や店舗等に展示する場合には、台座にも様々なデザイン性が要求されることが多い。にもかかわらず、多数のデザインや装飾が付された台座はないため、一品物として職人等に作製してもらわなければならないという問題があった。
【０００６】
一方で、従来より、額縁は、美術品、書画又は写真といった芸術性の高いものを収納するものであるため、額縁用フレームには正面に様々なデザインや装飾が施されたものがすでに量産化されている。
【０００７】
そこで、本発明は、上述した問題を解決するためになされたものであり、額縁用フレームを利用して作製されてなり、外周面にデザイン又は装飾の施された陳列用台座を提供することを主たる目的とする。
【課題を解決するための手段】
【０００８】
本発明は、上述の目的の少なくとも一つを達成するために以下の手段を採った。
【０００９】
本発明にかかる台座用フレームは、
正面装飾部を有する額縁正面と、額縁外周形成面と、掛かりを形成するための掛かり片と、前記掛かり片の下方側に形成された額縁内側側面と、を備えた額縁用フレームを使用してなり、前記額縁用フレームの両端を前記額縁用フレームの額縁正面側から｛１８０×（ｎ−２）／ｎ｝／２（ｎは、３以上の自然数）となるように両端が切断されたｎ個の額縁用フレームを、額縁内側側面が上面に、かつ掛かり片が上方側に向くような状態で接合して形成されていることを特徴とする。
【００１０】
このように、額縁用フレームを利用して作製することによって、額縁用フレームの正面の装飾部を陳列用台座の外周面に表現させたそれぞれの内角が同じ多角形の台座用フレームを作製することができる。そのため、外周面側にデザインや装飾が施されたデザイン性に優れる台座用フレームとすることができる。また、額縁用フレームを利用することによって、額縁の正面装飾部の装飾は、すでに多数のデザインや装飾が施されたものが量産化されているため、額縁用フレームを選択することで外周面に種々のデザインを有する台座用フレームを容易に作製することができる。さらに、額縁用フレームを利用することによって、掛かり片と額縁内側側面とで、作品を置くための台座用ベースを支持するための支持面と台座用ベースの移動を防止するための壁面がすでに形成されることになるため、板材を置くだけで作品を置くための領域を設けることができる。
【００１１】
また、本発明にかかる台座用フレームにおいて、
前記額縁外周形成面に、突出部を備えていることを特徴とするものであってもよい。
【００１２】
額縁外周形成面に突出部を有する額縁用フレームを使用することによって、台座用フレームとした場合に、突出部が陳列用台座の底面に配置されることになるため、陳列用台座の外周面が載置面に対して浮いた状態で配置されるため、より立体的なイメージを有する陳列用台座を提供することができる。
【００１３】
さらに、本発明にかかる台座用フレームにおいて、
正面装飾部と額縁外周形成面が連設して形成されていることを特徴とするものであってもよい。
【００１４】
かかる構成を採用することによって、台座用フレームの斜め下方方向に向かって正面装飾部が形成されるので、比較的高い位置に作品等を配置する場合に正面装飾部を視認しやすくなる。そのため、こうした高い位置に配置する場合に効果的な台座用フレームとすることができる。
【００１５】
さらに、本発明にかかる台座用フレームにおいて、
底面に底面板が設けられていることを特徴とするものであってもよい。
【００１６】
かかる構成を採用することによって、底面と台座用ベースとの間に空間が作製されるので、その間を収納スペースとすることができる。
【００１７】
さらに、本発明は、前述した台座用フレームと、前記額縁内側側面に載置される板状の台座用ベースと、を有することを特徴とする陳列用台座を提供する。
【００１８】
かかる構成を採用することによって、外周側に装飾が施された陳列用台座とすることができる。
【００１９】
さらに、本発明にかかる陳列用台座において、前記台座用ベースは、厚さが掛かり片の長さよりも薄いものであることを特徴とするものであってもよい。
【００２０】
かかる構成を採用することによって、陳列用台座の周囲に壁面が形成されるため、陳列された展示物が落下しづらい陳列用台座とすることができる。
【図面の簡単な説明】
【００２１】
【図１】図１は、本発明にかかる陳列用台座１００の平面図及びそのＡ−Ａ断面図である。
【図２】図２は、額縁用フレーム１０を使用した額縁２００の平面図及びそのＢ−Ｂ断面図である。
【図３】図３は、額縁用フレーム１０の切断方法を示す図である。
【図４】図４は、本発明にかかる台座用フレーム２０の別実施形態を説明する説明図である。
【図５】図５は、本発明にかかる台座用フレーム２０のさらなる別実施形態を説明する説明図である。
【図６】図６は、本発明にかかる台座用フレーム２０のさらなる別実施形態を説明する説明図である。
【図７】図７は、本発明にかかる台座用フレーム２０のさらなる別実施形態を説明する説明図である。
【発明を実施するための形態】
【００２２】
ここで、上記簡単に説明した図面に基づいて、本発明の実施の形態について詳細に説明する。図１は、本発明にかかる陳列用台座１００の平面図及びそのＡ−Ａ断面図である。図２は、額縁用フレーム１０を使用した額縁２００の正面図及びそのＡ−Ａ断面図である。
【００２３】
まず、初めに、本発明の陳列用台座１００に使用される額縁用フレーム１０について説明する。本発明の陳列用台座１００に使用される額縁用フレーム１０は、図２Ａに示すように、一般的に額縁２００の外枠を作製するためのフレームである。こうした額縁用フレーム１０は、図２Ｂに示すように、額縁外周形成面１１、額縁底面１２、額縁内側側面１３、額縁内側側面１３より内側に突出して形成される掛かり片１４及び正面装飾部１６ａが形成される額縁正面１６を主として有している。このように作製された額縁用フレーム１０は、加工前には断面Ｃの長尺の板材として作製され、内部に配置される絵画や写真等の展示物の大きさ及び購入者が選択したマット２０３の大きさ等に応じて適宜切断して使用される。具体的には、図２Ａの正面図に示すように、正面から視認した場合に長手方向に対する角度αが４５°となるように切断されたそれぞれ上下左右の４つの額縁用フレーム１０を組み合わせて額縁２００とされる。こうして作製された額縁２００は、図２ＢのＢ−Ｂ断面図に示すように、額縁用フレーム１０内にガラス板２０２、マット２０３、展示物２０４が収納され、裏板２０５でこれらを支持している。具体的には、額縁用フレーム１０は、掛かり片１４でガラス板２０２を支持し、額縁内側側面１３によって、マット２０３や裏板２０５が支持される。額縁用フレーム１０は、主として絵画、書画、写真等の芸術品が展示されるものであるため、額縁用フレーム１０自体にも装飾性を施すために、額縁正面１６にデザインが描かれていたり、立体的な装飾が施されている正面装飾部１６ａが形成されている。
【００２４】
次に、この額縁用フレーム１０を使用して陳列用台座１００を作製する方法について説明する。まず、前述した額縁用フレーム１０を所望する陳列用台座１００の大きさに合わせて切断する。切断する際には、図３に示すように、額縁正面１６側の長手方向に対して角度βが｛１８０×（ｎ−２）／ｎ｝／２となるように両端を切断する。ｎは３以上の自然数であり、作製したい陳列用台座の多角形の数になる。すなわち、三角形であれば、ｎ＝３、四角形であれば、ｎ＝４、五角形であればｎ＝５、・・・・という具合である。以下、ｎ＝４の四角形の陳列用台座を作製する場合を例に説明する。四角形の場合は、｛１８０×（４−２）／４｝／２＝４５°であるので、額縁正面から長手方向に対して角度βを４５°で両端を切断する。このように切断した額縁用フレーム１０を４本用意し、図１に示すように、額縁外周形成面１１が底面となるように、額縁を組むときに対して９０°回転させた状態で組み合わせて結合する。すなわち、額縁外周形成面１１が陳列用台座１００の底面、額縁正面１６が陳列用台座１００の外周面、額縁内側側面１３が上面、額縁底面１２が内側側面となるように配置して組み合わせることで、台座用フレーム２０が作製される。こうして作製された台座用フレーム２０は、外周面に額縁正面が形成され、デザイン面又は装飾面を有する正面装飾部１６ａが配置される。一方、内側には、台座用ベース３０を配置するための載置面が額縁内側側面１３によって水平面に形成される。また、その載置面の周囲には、掛かり片１４によって壁面が形成されることになる。五角形の場合は、同様に｛１８０×（５−２）／５｝／２＝５４°であるので、図４Ａに示すように、額縁正面から長手方向に対して角度βを５４°で両端を切断する。このように切断した額縁用フレーム１０を５本用意し、図４Ｂに示すように、額縁外周形成面１１が底面となるように、額縁を組むときに対して９０°回転させた状態で組み合わせて結合する。こうして五角形の台座用フレーム２０が形成される。以下六角形以上の形態をも同様の考え方で作製可能である。
【００２５】
上述したように作製された台座用フレーム２０に、板材からなる台座用ベース３０を額縁内側側面１３によって作製された載置面に載置して陳列用台座１００が完成する。
【００２６】
こうして作製された本発明にかかる陳列用台座１００によれば、外周面に正面装飾部１６ａによるデザイン面又は装飾面が形成されるため、デザイン性に優れたものとすることができる。
【００２７】
また、掛かり片１４が上辺外周近傍に配置されて壁面を形成し、その内側に額縁内側側面１３が水平面に配置され、載置面を形成することになる。そのため、この載置面を利用して台座用ベース３０を配置することが可能であり、かつ、掛かり片１４により台座用ベース３０の位置決めがなされることになる。そのため、掛かり片１４で囲まれた領域内に板状の部材を配置するだけで作品等の陳列物を載置する載置スペースを形成することができる。この台座用ベース３０の厚さは特に限定するものではないが、掛かり片１４の長さよりも薄い板を使用することによって、台座用ベース３０の表面よりも高い壁面が掛かり片１４によって周囲に形成されるので、作品等の陳列物が載置スペースからずれて落下する可能性を低減することができる。
【００２８】
なお、本発明は、実施形態の構成に限定されるものではなく、本発明の要旨を逸脱しない範囲において適宜変更することができる。
【００２９】
例えば、額縁用フレーム１０が、図５Ａに示すように、額縁外周形成面１１に突出して形成された突出部１９を有するタイプのものがある。このように突出部１９を有するタイプの額縁用フレーム１０を採用することによって、図５Ｂに示すように、陳列用台座１００とした際に、底面に対して突出部１９が突出して形成されるため、額縁用フレーム１０の外周面が浮いたかのような状態にすることができる。このような陳列用台座１００とすることによって、陳列用台座１００の載置スペースが空中に浮いているかのような印象を与えることができ、より立体感のある陳列用台座１００とすることができる。
【００３０】
また、額縁用フレーム１０が、図６に示すように、正面装飾部１６ａが額縁外周形成面１１から正面装飾部１６ａにかけて連設して連続形成されている場合がある。このような額縁用フレーム１０を使用することによって、台座用フレーム２０の斜め下方方向に向かって正面装飾部１６ａが形成されるので、比較的高い位置に作品等を配置する場合に正面装飾部１６ａを視認しやすくなる。そのため、こうした高い位置に配置する場合に効果的な台座用フレーム２０及び陳列用台座１００とすることができる。
【００３１】
さらに、図７に示すように、台座用フレーム２０又は陳列用台座１００の底面に底面板７０を設けても良い。底面板７０を設けることによって、台座用ベース３０との間に空間が形成されるため、この間を収納スペースとして使用することができる。
【産業上の利用可能性】
【００３２】
上述した実施の形態で示すように、作品等を陳列するための陳列用台座として利用することができる。
【符号の説明】
【００３３】
１０…額縁用フレーム、１１…額縁外周形成面、１２…額縁底面、１３…額縁内側側面、１４…掛かり片、１６…額縁正面、１６ａ…正面装飾部、１９…突出部、２０…台座用フレーム、３０…台座用ベース、７０…底面板、１００…陳列用台座、２００…額縁、２０２…ガラス板、２０３…マット、２０４…展示物、２０５…裏板
【図１】
2019111285.tif 000003
【図２】
2019111285.tif 000004
【図３】
2019111285.tif 000005
【図４】
2019111285.tif 000006
【図５】
2019111285.tif 000007
【図６】
2019111285.tif 000008
【図７】
2019111285.tif 000009